(57)【要約】      （修正有）【課題】掛け具に掛けられた反物に対して、所定の位置に帯を掲げた状態に保ち、複数組の組合せを同時に長時間品定めすることができる帯掛け具を提供する。【解決手段】掛け具に垂れ掛けられた反物を上下方向に通す本体部２１と、前記本体部の下端側に在って前記反物の前方に配置された帯載置部と、前記本体部の上端側に在って前記帯載置部から前記反物に沿って上方に引き上げられた帯の一部を前記反物の前方に垂らすよう水平方向に延在する横桟部２３と、前記反物の後方に在って前記本体部を前記掛け具を構成する横木に係脱可能に係止する係止部２４とを備える。【選択図】図３
0003183979.tif 000002
【実用新案登録請求の範囲】
【請求項１】
掛け具に垂れ掛けられた反物を上下方向に通す本体部と、前記本体部の下端側に在って前記反物の前方に配置された帯載置部と、前記本体部の上端側に在って前記帯載置部から前記反物に沿って上方に引き上げられた帯の一部を前記反物の前方に垂らすよう水平方向に延在する横桟部と、前記反物の後方に在って前記本体部を前記掛け具を構成する横木に係脱可能に係止する係止部とを備えたことを特徴とする帯掛け具。
【請求項２】
本体部は略四角形状の上下二辺が水平で略垂直状に垂らされた枠体で、帯載置部は略長四角形状の枠体で当該枠体の長辺が前記本体部の枠体の下辺部に平行に固定され前記本体部の前方に向けて略水平な棚状に突設され、横桟部は前記本体部の上辺部と平行で当該上辺部との間に垂らされた反物と帯とが少なくとも二枚重ね状態で通る間隙を置いて当該上辺部両端側から前方側に向けて略コの字状に突設された枠体であり、係止部は先端が鉤状の基部が前記本体部の上辺部に当該上辺部の延在方向を軸として回動自在に当該上辺部の両端側に各々設けられたことを特徴とする請求項１の帯掛け具。
【請求項３】
本体部の上辺部の両端側に各々設けられた係止部は、何れも前記上辺部を摺動軸として摺動自在に設けられたことを特徴とする請求項２の帯掛け具。
【請求項４】
帯載置部は横桟部から垂らされた帯部分で隠されるように帯幅よりも短い長さであることを特徴とする請求項１乃至請求項３の何れかに記載の帯掛け具。
【請求項５】
帯載置部は二本の短辺より二本の長辺の方が高く位置するよう構成された枠体であることを特徴とする請求項１乃至請求項４の何れかに記載の帯掛け具。
【請求項６】
各枠体は線状部材で構成されたことを特徴とする請求項２乃至請求項５の何れかに記載の帯掛け具。
【考案の詳細な説明】
【技術分野】
【０００１】
本考案は、主として、反物と帯との品定めの際に用いる帯掛け装置に関する。
【背景技術】
【０００２】
従来、反物と帯との好みの組合せを見定める所謂品定めの際には、一方の反物を衣桁や撞木等の衣類を掛ける掛け具に掛けて置いて、他方の帯を手にして、掛けられた反物の前に掲げて行われていた。
【０００３】
これでは、複数組の組合せを同時に品定めすることができない上、長時間にわたっての品定めも困難であった。
【考案の概要】
【考案が解決しようとする課題】
【０００４】
本考案は、主としては、掛け具に掛けられた反物に対して、所定の位置に帯を掲げた状態に保つための帯掛け具の提供を目的とする。
【課題を解決するための手段】
【０００５】
請求項１の帯掛け具の考案は、掛け具に垂れ掛けられた反物を上下方向に通す本体部と、前記本体部の下端側に在って前記反物の前方に配置された帯載置部と、前記本体部の上端側に在って前記帯載置部から前記反物に沿って上方に引き上げられた帯の一部を前記反物の前方に垂らすよう水平方向に延在する横桟部と、前記反物の後方に在って前記本体部を前記掛け具を構成する横木に係脱可能に係止する係止部とを備えたことを特徴とする。
【０００６】
請求項２の考案は、請求項１の帯掛け具において、本体部は略四角形状の上下二辺が水平で略垂直状に垂らされた枠体で、帯載置部は略長四角形状の枠体で当該枠体の長辺が前記本体部の枠体の下辺部に平行に固定され前記本体部の前方に向けて略水平な棚状に突設され、横桟部は前記本体部の上辺部と平行で当該上辺部との間に垂らされた反物と帯とが少なくとも二枚重ね状態で通る間隙を置いて当該上辺部両端側から前方側に向けて略コの字状に突設された枠体であり、係止部は先端が鉤状の基部が前記本体部の上辺部に当該上辺部の延在方向を軸として回動自在に当該上辺部の両端側に各々設けられたことを特徴とする。
【０００７】
請求項３の考案は、請求項２の帯掛け具において、本体部の上辺部の両端側に各々設けられた係止部は、何れも前記上辺部を摺動軸として摺動自在に設けられたことを特徴とする。
【０００８】
請求項４の考案は、請求項１乃至請求項３の何れかに記載の帯掛け具において、帯載置部は横桟部から垂らされた帯部分で隠されるように帯幅よりも短い長さであることを特徴とする。
【０００９】
請求項５の考案は、請求項１乃至請求項４の何れかに記載の帯掛け具において、帯載置部は二本の短辺より二本の長辺の方が高く位置するよう構成された枠体であることを特徴とする。
【００１０】
請求項６の考案は、請求項２乃至請求項５の何れかに記載の帯掛け具において、各枠体は線状部材で構成されたことを特徴とする。
【考案の効果】
【００１１】
請求項２乃至請求項６の帯掛け具の考案によれば、何れも、衣桁や撞木等の衣類や反物掛け用の掛け具に掛けられた反物や服に対して、人手を要さずに、帯を所定の位置に掲げ保つことができ、長時間にわたっての品定めや、複数の掛け具に各々本考案を用いることによって、同時に複数組の品定めを行うことができる。
【００１２】
請求項３の帯掛け具の考案によれば、衣類や反物掛け用の掛け具の適当な位置にある横木の水平方向における所望の位置に係止具を係止させることができ、従って、帯掛け具を装着可能な掛け具を豊富化させることができる。
【００１３】
請求項４の帯掛け具の考案によれば、帯載置部の存在ひいては当該帯載置部に保持されている残余の帯部分が横桟から垂らされた帯によって隠され、品定めする者の視野から外すことができる。
【００１４】
請求項５の帯掛け具の考案によれば、帯載置部に載せられた帯部分が前後方向即ち帯の幅方向に対して直角方向の二方から挟むように保持されるので、載せられた帯を安定して保持できると共に帯を横桟から引き出す際の帯の揺れに対してもより確実に保持させることができる。
【００１５】
請求項６の帯掛け具の考案によれば、帯掛け具の各構成枠体部分が線状部材で形成されているので、板状部材で枠体を構成するのに比べて、品定めする者の視野に、帯掛け具の一部例えば本体部の左右の両辺側が入ったとしても、枠体輪郭の内側が空であるので背景側が視野に入って視認できるため、品定めの大きな障害となることを避けることができる。
【図面の簡単な説明】
【００１６】
【図１】図１は撞木に帯掛け具を装着させた状態の正面図である。
【図２】図２は帯掛け具の斜視図である。
【図３】図３は反物に通した帯掛け具に帯を載置させた状態の斜視図である。
【図４】図４は反物に通した帯掛け具に帯を載置させた別の状態の斜視図である。
【考案を実施するための最良の形態】
【００１７】
本考案を実施するための最良の形態として、線状部材で帯掛け具を構成して撞木に適用させた実施例を図１乃至図４に基づいて説明する。
【実施例】
【００１８】
図１乃至図４に示す実施例では、反物や和服などの衣類を掛ける掛け具として少なくとも上下二段の横木即ち上段の横木１１と下段の横木１２とを備えた撞木１を例としている。この撞木１に適用される実施例に示す帯掛け具２は、図２や図３に示すように、本体部２１と帯載置部２２と横桟部２３と係止部２４とを備えている。以下、図１乃至図３に基づいて説明する。
【００１９】
本体部２１は、撞木即ち掛け具1の上段の横木１１に通例の如くに反物３を垂れ掛けて置き、掛け具１の前（前とは品定め者の立ち位置側であり、以下、正面ともいう）に垂れ掛けられた反物３の部分３１（以下、前部分３１ともいう）を、垂れ掛けられた状態のままで、上下方向に通す構成であればよい。
【００２０】
図示の本体部２１は、４本の線状部材で略四角形状の枠体に構成されており、上下二辺即ち上辺２１１下辺２１２が、水平となるよう後述の係止部２４を介して撞木1の二段目の横木１２に略垂直状に垂らされる。
【００２１】
帯載置部２２は、本体部２１の下端側即ち下辺２１２側に在って、掛け具１の前に垂れ掛けられた反物３の前部分３１の前方（品定め者側）に棚状に突き出されるよう略水平にして配置されている。
【００２２】
図示の帯載置部２２は、線状部材で略長四角形状の枠体に構成されており、当該枠体２２の長辺即ち前辺２２１後辺２２２が、本体部２１の枠体の下辺２１２に平行に固定され。且つ、本体部２１の前方（品定め者側）に向けて略水平な棚状に突設されている。
【００２３】
この帯載置部２２の枠体は、後述の横桟部２３から垂らされた帯４の部分即ち前部分４１で隠されるように帯幅よりも短い長さとする方が品定めの際に視野に入らない点で好ましい。
又、品定め者の立ち位置（正面側）から看て、左右の二本の短辺２２３、２２４よりも前後二本の長辺即ち前辺２２１と後辺２２２の二辺の方が上下方向で高く位置するよう構成する方が、帯載置部２２に載せ置かれた帯４が前後方向の何れかに落下し難くなる点で好ましい。
【００２４】
横桟部２３は、本体部２１の上端側即ち上辺２１１側に在って、前記帯載置部２２から反物３の前部分３１に沿って、当該前部分３１の前方で上方に向けて反物３の前部分３１と平行して重なるように引き上げられた帯４の一部即ち引き上げられた帯部分４１を、前記反物３の前部分３１の更に前方に、正面から見て重なるように垂らすために、水平方向に延在させている。
【００２５】
図示の横桟部２３は、本体部２１の上辺２１１と平行で当該上辺２１１との間に垂らされた反物３と帯４とが少なくとも二枚重ね状態で通る間隙即ち前後幅間隔２３１を置いて、当該上辺２１１の両端側から前方側に向けて、線状部材が略コの字状に突設された枠体として構成されている。
【００２６】
係止部２４、２４は、反物３即ちその前部分３１の後方（前記前方と反対方向）に在って、前記掛け具１の前記反物３が掛けられていない二段目の低い方の横木即ち掛け具１を構成する横木１２に、前記本体部２１を係脱自在に係止する係止手段である。この係止手段は、横木１２に本体部２１を係脱自在に係止可能な手段であればよく、従って、この実施例と異なる適当な常套手段を用いてもよい。
【００２７】
図示の係止部２４は、線状部材を用いて先端が鉤状で、基部が本体部２１の上辺２１１の延在方向を軸として当該上辺２１１に回動自在に設けられており、この回動自在な基部は上辺２１１の両端側に各々当該上辺２１１を摺動軸として摺動自在に設けられており、横木２１の長さに応じて係止位置を選択しバランス良く安定させた係止を可能としている。
【００２８】
上記実施例の帯掛け具の各構成枠体２１、２３、２４は何れも線状部材で構成されているので、例えば板状部材で枠体を構成するのに比べて、品定めする者の視野に、帯掛け具２の一部例えば本体部２１の左右の両辺側２１３、２１４が、入ったとしても、枠体輪郭の内側が空であるので背景側が視野に入って視認できるため、品定めの大きな障害となることを避けることができる。
尚、同様な効果は、各構成枠体２１、２３、２４を線状部材でなく、板状の透明部材を用いても実現することができる(図示せず)。
【００２９】
図４は、上記実施例、即ち図１〜図３に図示したと同じ帯掛け具２を用いて、帯４の別の展示方法を示したもので、上記実施例では図３に図示のように帯４の端の部分を正面側に垂らして展示したものであるが、図４は、帯をＵ字状に垂らすことによって、帯の中央即ち端でない中央部分４２を展示させた例である。
【産業上の利用可能性】
【００３０】
本考案は、上記実施例においては、反物と帯との品定めの際に用いる帯掛け装置として撞木に適用した例で説明したが、係止部２４を受ける適当な係止受け手段が講じられていれば、撞木や衣桁等の衣類用の掛け具だけでなく、単に帯だけを展示する帯掛け具としても広く活用することができる。
【符号の説明】
【００３１】
１      撞木（掛け具）
２      帯掛け具
２１    本体部（枠体）
２２    帯載置部（枠体）
２３    横桟部（枠体）
２３１  前後間隔幅（間隙）
３      反物
３１    前部分（反物）
４      帯
４１    前部分（帯）
４２    中央部分（帯）
【図１】
0003183979.tif 000003
【図２】
0003183979.tif 000004
【図３】
0003183979.tif 000005
【図４】
0003183979.tif 000006